(57)【要約】      （修正有）【課題】更なる進歩、通信ネットワーク及び／又はプロトコルの間にシームレスな切り替えをすることを支える符号化情報読取（ＥＩＲ）端末を提供する。【解決手段】ＥＩＲ端末１００ａ〜ｚは、メモリ、マイクロプロセッサ、ＥＩＲ装置、マルチバンド・アンテナ及び無線通信インタフェースを通信可能に有する。ＥＩＲ装置は、符号化メッセージから成る生のメッセージ・データ及び／又は符号化メッセージに対応する復号化メッセージ・データを出力する。無線通信インタフェースは、少なくとも2つの無線通信プロトコル及び／又は少なくとも2つの周波数帯をサポートする。マルチバンド・アンテナは、同時に２つ以上の周波数調整ドメインに２つ以上の無線信号を受信する。ＥＩＲ端末は、前記２つ以上の無線信号に基づく無線通信プロトコル選択基準の値を最適化することで、動的にワイヤレス通信ネットワーク及び／又は無線通信プロトコル及び／又は周波数帯を選ぶ。【選択図】図１
2020174351.tif 000002
【特許請求の範囲】
【請求項１】
符号化情報読取（ＥＩＲ）システムにおける品質およびコスト要因を最適化する方法であって、該方法は、
複数の相互接続された無線ネットワークの一部である複数のＥＩＲ装置の中から選択され、少なくとも１つのバーコード読取装置を備えたＥＩＲ装置が、２つ以上の無線信号を受信ステップと、
少なくとも２つの無線通信プロトコルの中から無線通信プロトコルを、少なくとも部分的に（１）最低料金回線選択（ＬＣＲ）基準、及び、（２）前記少なくとも２つの無線通信プロトコルの各々の無線信号の信号強度に基づいて、動的に選択するステップと、
前記少なくとも２つの無線通信プロトコルの１つを使用して、前記バーコード読取装置から取得されたメッセージデータを、前記複数の相互接続された無線ネットワークの１つを介して送信するステップと、
を含み、
前記２つ以上の無線信号が、前記複数の相互接続された無線ネットワークの少なくとも１つを介して、マルチバンドメタマテリアル（ＭＴＭ）アンテナにより送信され、
前記２つ以上の無線信号の各々が、異なる周波数調整ドメインにおいて、前記少なくとも２つの無線通信プロトコルの中から選択された無線通信プロトコルを使用して送信され、
前記ＬＣＲ基準が、少なくとも前記ＥＩＲ装置によって開始されたアウトバウンドトラフィックを配信するコスト、及び、前記ＥＩＲ装置によって開始されたインバウンドトラフィックを受け入れるコストに基づいており、
前記メッセージデータが、動的に選択された前記無線プロトコルを使用して送信される
ことを特徴とする方法。
【請求項２】
前記複数の相互接続された無線ネットワークは、異なる無線通信規格を有する少なくとも２つの異なる地理的位置に無線ネットワークを有し、前記無線通信プロトコルを動的に選択することは、更に、少なくとも部分的に（３）それぞれのＥＩＲ装置の地理的位置に基づいていることを特徴とする請求項１に記載の方法。
【請求項３】
前記複数のＥＩＲ装置の少なくとも１つの地理的位置は、前記送信する間に変化し、前記メッセージデータの第１の部分が第１の無線通信プロトコルを使用して送信され、前記メッセージデータの第２の部分が第２の無線通信プロトコルを使用して送信されることを特徴とする請求項２に記載の方法。
【請求項４】
前記地理的位置は、国、州、および/または都市を含むことを特徴とする請求項３に記載の方法。
【請求項５】
前記地理的位置は、地理的座標または地理的座標範囲を含むことを特徴とする請求項３に記載の方法。
【請求項６】
前記複数のＥＩＲ装置は、各ＥＩＲ装置の地理的位置が変化したとき、無線通信プロトコルを動的に選択するように構成され、前記地理的位置は、地理的座標範囲を含むことを特徴とする請求項３に記載の方法。
【請求項７】
前記無線通信プロトコルが、GSM, GPRS, EDGE, UMTS (WCDMA/TD-SCDMA), HSPA/HSPA+, CDMA, CDMA2000, CDMA 1xEvDo, TDMA, LTE (FDD-LTEまたはTD-LTE), UWBおよび802.16m (WiMax)のうちの少なくとも２つからなることを特徴とする請求項１に記載の方法。
【請求項８】
前記異なる周波数調整ドメインが、850 MHz, 900 MHz, 1700 MHz, 1800 MHz, 1900 MHz,  2100 MHz, 2.4 GHzおよび5 GHzのうちの２つ以上を含むことを特徴とする請求項１に記載の方法。
【請求項９】
前記ＬＣＲ基準は、前記ＥＩＲ装置によって開始されたアウトバウンドトラフィックを配信するコストと、前記ＥＩＲ装置によって開始されたインバウンドトラフィックを受け入れるコストとの合計を含むことを特徴とする請求項１に記載の方法。
【請求項１０】
前記バーコード読取装置から取得されたメッセージデータは、製品に関連付けられたコード化された製品識別子情報を含むことを特徴とする請求項１に記載の方法。
【発明の詳細な説明】
【技術分野】
【０００１】
関連出願に対する相互参照
[0001]  本出願は2010年9月3日に出願された「マルチバンド・アンテナを有する符号化情報読取端末」と題した米国特許出願番号第12/875,404号を基礎とする優先権を主張する。上記出願の優先権は請求され、完全に本願明細書にリファレンスとして組み入れられる。
【０００２】
[0002]  本発明は、一般に符号化情報読取（EIR）端末に関し、特に継ぎ目なく切換ワ
イヤレス通信ネットワークまたはプロトコルができる複数プロトコル無線通信インタフェースから成るEIR端末に関する。
【背景技術】
【０００３】
[0003]  無線通信インタフェースを備えている符号化情報読取（EIR）端末は小売店、
トランスポート施設、その他において、広く使われている。例えば、通信インタフェースが複数の通信プロトコルおよび／または標準をサポートすることに失敗することによって、または、EIR端末を再起動することなくワイヤレス通信ネットワーク/プロトコルを切替えることに失敗するけれども、EIR端末の無線通信が有線の通信と比較して、多くの効果を提供する。
【０００４】
[0004]  したがって、EIR端末の更なる進歩、および、通信ネットワークおよび／また
はプロトコルの間にシームレスな切り替えをすることを支えるシステムの必要性がある。
【発明の概要】
【課題を解決するための手段】
【０００５】
[0005]  ある実施形態では、マイクロプロセッサを備えた符号化情報読取（EIR）端末
が提供され、メモリがマイクロプロセッサ、EIR装置、マルチバンド・アンテナおよび無
線通信インタフェースに通信可能に連結される。
【０００６】
[0006]  EIR読取デバイスは、バーコード読取装置、RFIDバーコード読取装置および／
またはカード読取装置により提供され得る。EIR装置は、符号化メッセージから成る生の
メッセージ・データを出力し、および／または、符号化メッセージに対応する復号化メッセージ・データを出力するように構成され得る。
【０００７】
[0007]  無線通信インタフェースは、少なくとも2つの無線通信プロトコル、および／
または、少なくとも2つの周波数帯をサポートするように構成され得る。マルチバンド・
アンテナは、同時に２つ以上の周波数調整ドメインに２つ以上の無線信号を受信するように構成され得る。EIR端末は、前記２つ以上の無線信号に基づく無線通信プロトコル選択
基準の値を最適化することにより、動的にワイヤレス通信ネットワークおよび／または無線通信プロトコルおよび／または周波数帯を選ぶように構成され得る。
【０００８】
[0008]  別の実施形態では、マイクロプロセッサと、マイクロプロセッサと通信可能に連結されたメモリと、EIRデバイスと、2つ以上の周波数調整ドメインに2つ以上の無線信
号を同時に受信するように構成されるアンテナと、少なくとも2つのワイヤレス通信プロ
トコルをサポートするように構成されるワイヤレス通信インタフェースとを有する符号化情報読取（EIR）端末が提供される。
【０００９】
[0009]  EIR読取デバイスは、バーコード読取装置、RFIDバーコード読取装置および／
またはカード読取装置により提供され得る。EIR装置は、符号化メッセージから成る生の
メッセージ・データを出力し、および／または、符号化メッセージに対応する復号化メッセージ・データを出力するように構成され得る。
【００１０】
[00010]  無線通信インタフェースは、第1の無線信号を受信し、および／または、第２の無線信号を送信するように構成された無線周波数（RF）フロントエンドを有し得る。ＲＦフロントは、アンテナに電気的に連結できる。アンテナは、２つ以上のシングルのバンド・アンテナによって、または、マルチバンド・アンテナにより提供され得る。
【００１１】
[00011]  マイクロプロセッサは、ソフトウェア・プログラムおよびベースが段階区分
するベース・バンド・エンコーダで、デコーダ・ソフトウェア・プログラムを実行するように構成することができる。
【００１２】
[00012]  EIR端末は、前記２つ以上の無線信号に基づくことがありえるワイヤレス通信プロトコル選択基準の値を最適化することによって、ワイヤレス通信ネットワーク、および／または、ワイヤレス通信プロトコルを動的に選択するように構成されることができる。
【００１３】
[00013]  本発明を例示するために、図面は本発明の一つ以上の実施形態の態様を示す
。しかし、そこにおいて、本発明が正確なアレンジメントおよび図面に示す手段に限定されないと理解されなければならない。
【図面の簡単な説明】
【００１４】
【図１】[00014]  図１は、本発明によるEIR端末を使用しているデータ収集システムのネットワーク-レベル・レイアウトを表す。
【図２】[00015]  図２は、発明のＥＩＲ端末のコンポーネント-レベル・レイアウトを表す。
【図３】[00016]  図３は、無線通信インタフェースの機能的なレイアウトを表す。
【図４】[00017]  図４は、３の６バンド・アンテナの実施形態を例示する。
【図５ａ】[00018]  図5aは、3-バンドMTM-ベースのアンテナの実施形態レイアウトの上面図を例示する。
【図５ｂ】[00018]  図5bは、3-バンドMTM-ベースのアンテナの実施形態レイアウトの底面図を例示する。
【図６】[00019]  図６は、本発明の最低料金回線選択（LCR）ルックアップ表の一実施形態の構造を例示する。
【図７】[00020]  図７は、本発明による好適なルーティング・リスト（好適なオペレータ・リスト）の一実施形態の構造を例示する。
【図８ａ】[00021]  図8aは、典型的なハンドヘルドEIR端末ハウジングを例示する、
【図８ｂ】[00021]  図8bは、典型的なハンドヘルドEIR端末ハウジングを例示する。
【図９ａ】[00022]  図9aは、典型的なポータブル再取り付け可能なEIR端末ハウジングを例示する。
【図９ｂ】図9ｂは、典型的なポータブル再取り付け可能なEIR端末ハウジングを例示する。
【図９ｃ】図9cは、典型的なポータブル再取り付け可能なEIR端末ハウジングを例示する。
【図１０ａ】[00023]  図10aは、本発明によるEIR端末の小売店の中で第1の典型的な配備を例示する。
【図１０ｂ】[00024]  図10bは、本発明によるEIR端末の小売店の中で第２の典型的な配備を例示する。
【図１０ｃ】[00025]  図10cは、本発明によるEIR端末のピンおよびサイン・データ入力活動中のモードを例示する。
【図１０ｄ】図10dは、本発明によるEIR端末のピンおよびサイン・データ入力活動中のモードを例示する。
【発明を実施するための形態】
【００１５】
[00026]  図面は必ずしも一定の縮尺ではなく、その代わりに全体的に本発明の原理を
説明するために強調される。図面において、参照番号がさまざまな図の全体にわたって同じパーツを示すのに用いられる。
【００１６】
[00027]  データ収集システムの編入のための符号化情報読取（EIR）端末を提供する。図式的に図1に示すデータ収集システムは、複数の相互接続するネットワーク110a-110zと連通して複数のEIR端末100a-100zを含むことができる。ある態様では、複数のネットワーク110a-110zは、少なくとも一つのIEEE 802.11準拠の無線ネットワークを含むことができる。別の態様では、複数のネットワーク110a-110zは、少なくとも一つのIEEE 802.15準拠の無線ネットワークを含むことができる。更なる態様では、複数のネットワーク110a-110zは、少なくとも一つのIEEE 802.16準拠の無線ネットワークを含むことができる。別の態様では、例えば、複数のネットワーク110a-110zは少なくとも一つのGSM-系統無線ネットワークを含むことができ、無線ネットワークがGSM、GPRS、EDGE、UMTS（WCDMA/TD-SCDMA）またはHSPA/HSPA+無線通信プロトコルをサポートする。更なる態様では、複数のネットワーク110a-110zは、少なくとも一つのCDMA-系統無線ネットワーク（例えばCDMAを支持している無線ネットワーク、CDMA2000および／またはCDMA 1xEvDo無線通信プロトコル）を含むことができる。更なる態様では、複数のネットワーク110a-110zは、TDMA無線通信プロトコルをサポートしている少なくとも一つの無線ネットワークを含むことができる。更なる態様では、複数のネットワーク110a-110zは、少なくとも一つの4Gの無線ネットワーク（例えばLTE（FDD-LTEかTD-LTE）をサポートしている無線ネットワーク、UWBまたは802.16mの（WiMax）無線通信プロトコル）を含むことができる。更なる態様では、複数のネットワーク110a-110zは、少なくとも一つのブルートゥース・ネットワークを含むことができる。当業者は、他の無線通信プロトコルを実装する無線ネットワークが本発明の精神および範囲内にあることを理解するであろう。
【００１７】
[00028]  更なる態様では、EIR端末は、一つ以上の無線ネットワークに接続する端末によって、使うことができる無線通信インタフェースから成ることができる。EIR端末100c
は、ホストコンピュータ171を有する通信セッションを確立できる。ある実施形態では、
ネットワーク・フレームは、一つ以上のルータ、基地局および他の基盤要素を介してEIR
端末100cおよびホストコンピュータ171により交換されることができる。もう一つの実施
形態では、ホストコンピュータ171はローカル・エリア・ネットワーク（LAN）を介してEIR端末100cによって、届くことがある。さらに別の実施形態では、ホストコンピュータ171はワイド・エリア・ネットワーク（WAN）を介してEIR端末100cによって届くことがある。当業者は、LAN、WAN、仮想私設網（VPNs）および/または他の種類のネットワークに依存するEIR端末100cとホストコンピュータ171との間の相互接続性を提供する他の方法が、本発明の精神および範囲内にあることを理解するであろう。
【００１８】
[00029]  ある実施形態では、EIR端末100cおよびホストコンピュータ171間の通信は一
連のHTTPリクエストから成ることができ、応答は一つ以上のTCP接続を通じて伝達する。
ある実施形態では、EIR端末100cおよびホストコンピュータ171間の通信は、一つ以上のTCPおよび／またはUDPポートを通じて送信されるVoIPトラフィックから成ることができる。当業者は、他のトランスポートおよびアプリケーション・レベル・プロトコルを使用することは本発明の範囲および精神の範囲内にあることを理解するであろう。
【００１９】
[00030]  ある態様では、例えば、EIR端末により送信されるメッセージのうちの少なく
とも１つはバーコード・ラベルまたは製品または出荷品に添付されたRFIDラベルに対応する復号化メッセージデータを含むことができる。例えば、EIR端末は、製品に添付された
バーコード・ラベルによってコード化された製品識別子に対応する製品情報を検索するため、または、製品に添付されたバーコード・ラベルによって識別される品目のための品目トラッキングレコードを送信するために、ホストコンピュータに要求を送信することができる。
【００２０】
[00031]  別の態様では、EIR端末100は少なくとも一つのマイクロプロセッサ310およびメモリ320から更に成ることができ、図2において最適に見られるように、両方ともシステムバス370に連結する。マイクロプロセッサ310は、多目的マイクロプロセッサによって、または専門マイクロプロセッサ（例えばASIC）により提供されることができる。ある実施形態では、EIR端末100は、中央演算処理装置（ＣＰＵ）と称することがありえる単一のマイクロプロセッサから成ることができる。他の実施形態では、EIR端末100は、２台以上のマイクロプロセッサ、例えばＣＰＵおよび専門マイクロプロセッサ、例えばASICから成ることができる。ある実施形態では、メモリ320は、RAM、ROM、EPROMおよび／またはSIMカ
ード-ベースのメモリにより提供されることができる。
【００２１】
[00032]  EIR端末100は、バーコード読取装置、RFIDバーコード読取装置およびカード
読取装置を含む（EIR）一つ以上の符号化情報読取端末から更に成ることができ、また、
システムバス370に連結する。ある実施形態では、EIR読取デバイスは、符号化メッセージに対応する復号化メッセージ・データを出力できる。もう一つの実施形態では、EIR読取
デバイスは、符号化メッセージ（例えば生の画像データまたは生のRFIDデータ）から成る生のメッセージ・データを出力できる。
【００２２】
[00033]  もちろん、バーコードを読み取ったり、RFIDを読み取ったり、または符号化
された情報を有するカードを読み取る装置は、本発明の範囲内に留まりながら、これらのカテゴリのうちの１つ以上を読み取ることができる。例えば、バーコードを読み込む装置には、カードリーダーおよび／またはRFIDリーダーを含み、RFIDを読み取る装置は、バーコードおよび／またはカードをも読むことが可能であり、カードを読む装置もまた、バーコードおよび／またはRFIDを読み込むことが可能である。更なる明快さのために、デバイスの主たる機能がこの種の装置と考えられるためにこれらの機能のいずれをも含むことは必要でなく、例えば、移動電話、スマートフォンまたはバーコードを読み込むことができるPDAは本発明の目的を達成するためのバーコードを読み込む装置である。
【００２３】
[00034]  EIR端末100は、キーボード・インタフェース354、ディスプレイ・アダプタ355から更に成ることができ、両方ともまた、システムバス370に連結する。EIR端末100は、更に電池356を有することができる。
【００２４】
[00035]  ある実施形態では、EIR端末100は、GPSレシーバ380を更に有することができ
る。ある実施形態では、EIR端末100は、加入者識別モジュール（SIM）カードを受けるよ
うに構成される少なくとも一つのコネクタ390を更に有することができる。
【００２５】
[00036]  本願明細書において以前に言及するように、本発明によるEIR端末は無線通信インタフェース340を更に有することができる。ある実施形態では、無線通信インタフェ
ースは、少なくとも2つの無線通信プロトコルをサポートするように構成されることがで
きる。更なる態様では、無線通信インタフェースは、GSM、GPRS、EDGE、UMTS（WCDMA/TD-SCDMA）、HSPA/HSPA+、CDMA、CDMA2000、CDMA 1xEvDo、TDMA、LTE（FDD-LTEかTD-LTE）、UWB、802.11、802.15または802.16m（WiMax）プロトコルのうちの2つ以上をサポートするように構成されることができる。当業者は、他の通信プロトコルをサポートしている無線通信インタフェースが趣旨の範囲内であるという事実および本発明の範囲を認める。
【００２６】
[00037]  図3において最適に見られるように、無線通信インタフェース210は、データ
ソース221に電気的に連結する送信機回路220から成ることができる。送信機回路220は、
一つ以上の特別なマイクロチップによって、インプリメントされることができ、ソース符号化223、暗号化226、チャネル符号化229、多重化232、変調235および周波数拡張238の機能を実行できる。
【００２７】
[00038]  図３の無線通信インタフェース210は、データ・シンク271に電気的に連結す
る受信機回路250を更に有することができる。受信機回路250は、一つ以上の特別なマイクロチップによって、インプリメントされることができて、周波数デスプレッド（frequency de-spreading）253、復調256、逆多重化259、チャネル復号化262、解読265、および、ソース復号化268の機能を実行できる。
【００２８】
[00039]  各々の送信機回路220および受信機回路250は、電気的にRFフロントエンド299と連結する。RFフロントエンド299は、ベースバンドまたは中間周波数信号に出入りする
高周波RF信号を変換するのに用いることができる。当業者は、異なるデータ信号速度、感度、出力、演算周波数および測定決定のRFフロントエンドが本発明の範囲および趣旨の範囲内であるという事を認める。
【００２９】
[00040]  受け入れ側では、RFフロントエンド299が、ベースバンド信号にアンテナによって、受け取られる調整されたRF信号を処理するために必要なダウンコンバージョンミキサ（down-conversion mixer(s)）と、低ノイズアンプ（LNA）および全てのフィルタを含むことができる。ある実施形態では、RFフロントエンド299の受信部分は、
バンド外のジャマーをノックダウンする帯域フィルタ（BPF）、アンテナによって受信さ
れたエネルギーを次の段階へ移動するための第１のマッチング回路と、
高いゲインを提供することによって、レシーバの感度をセットするプライマリ応答、低ノイズアンプ（LNA）、LNAの入力での第２のマッチング回路と、
ダウンコンバーターRXミキサー、LNA出力と受信（RX）ミキサー（ダウンコンバーター）
と間の第３のマッチング回路と、いう構成要素の一つ以上から成ることができる。
【００３０】
[00041]  送信側では、RFフロントエンドは、レシーバの「ミラーリングされた（mirrored）」バージョンと記述されることができる。送信機のフロントエンドは、出て行くベース・バンド信号をアップコンバートし、次いで、高パワーアンプに信号を供給する。当業者は、RFフロントエンドを実装する他の方法が本発明の精神および範囲内にあることを理解するであろう。
【００３１】
[00042]  ある実施形態では、少なくとも2つの無線通信プロトコルをサポートしている無線通信インタフェースは、単一の二重プロトコル（またはマルチ・プロトコル）チップセットを使用して実行されることができる。チップセットは集積回路（IC）を含むことができ、特定用途向け集積回路（ASIC）および／または他の構成要素が必要な機能性を提供する。
【００３２】
[00043]  他の実施形態では、少なくとも２つの無線通信プロトコルをサポートしてい
る無線通信インタフェースは、２つ以上のチップセットを使用して実行されることができる。各々のチップセットは、集積回路（IC）を含むことができ、特定用途向け集積回路（ASIC）および／または他の構成要素が必要な機能性を提供する。
【００３３】
[00044]  更なる態様では、RFフロントエンドは、図２のアンテナ290に電気的に連結できる。ある実施形態では、アンテナ290は、２つ以上のシングルのバンド・アンテナによ
り提供されることができる。もう一つの実施形態では、アンテナ290はマルチバンド・ア
ンテナにより提供されることができる。
【００３４】
[00045]  更なる態様では、アンテナ290は同時に２つ以上の周波数調整ドメインのRF信号を受信するように構成されることができる。別の態様では、アンテナ290は、２つ以上
の周波数調整ドメインのRF信号を送るように構成されることができる。マルチバンド・アンテナでサポートされる周波数調整ドメインは、850 MHz (824-894 MHz), 900 MHz(880-960 MHz), 1700 MHz, 1800 MHz (1710-1880 MHz), 1900 MHz (1850-1990MHz), 2100 MHz (1920-2170 MHz), 2.4 GHz (2400-2484 MHz)および5GHzを含むことができる。当業者は、
他の周波数調整ドメインをサポートするアンテナが本発明の精神および範囲内にあることを理解するであろう。
【００３５】
[00046]  ある実施形態では、マルチバンド・アンテナは、導電材料（例えば金属）で
できていてよい。もう一つの実施形態では、マルチバンド・アンテナは、非導電材料（例えばプラスチック）でできていてよく、導電材料によって、更におおわれている。他の実施形態では、マルチバンド・アンテナは、非導電材料（RogersのRT/duroid 5880、Arlon AD250、ポリエステル、GML1000、ポリイミド、Getek、FR4、など）でできていてよく、導電材料によって、更に被覆されることが可能である。当業者は、異なる導電性または非導電性の材料で作られたアンテナが本発明の精神および範囲内にあることを理解するであろう。
【００３６】
[00047]  別の態様では、マルチバンド・アンテナは、接地面および一つ以上の単極（
パッチ）から成ることができる。図４は、３つのモノポール（単極）を有する６バンドアンテナの実施形態を示す。マルチバンドアンテナ400は、図４に最もよく示されているよ
うに、接地面（グランドプレーン）410と、３つのモノポール420、430、440とを含むことができる。別の態様では、マルチバンドアンテナは、1つまたは複数のマルチプルフィー
ドを備えることができる。さらにもう一つの態様では、マルチバンド・アンテナは、スプリッタ／ダイプレクサを有することができる。更なる態様では、マルチバンド・アンテナは、インピーダンスマッチング回路を有することができる。当業者は、接地面および２つ以上の単極から成る他のマルチバンド・アンテナも本発明の範囲および精神の範囲内にあることを理解するであろう。
【００３７】
[00048]  ある実施形態では、マルチバンド・アンテナは、メタマテリアル（metamaterial）な（MTM）アンテナにより提供されることができる。メタマテリアルは、天然材料のそれを凌ぐ所望の電磁気の挙動を生じるように設計される人工複合材料である。MTMベースのオブジェクトは、材料によって、広がっている電磁波の波長より非常に小さい構造を含むことができる。MTM技術は、オペレーティング周波数を含むことができる実施パラメータ、バンド幅、位相オフセット、コンスタントな位相伝播、マッチしている状況、並びに、ポートの数の値および位置決めを決定することによって、都合よく小さい構造の範囲の電磁波の伝播の正確な制御を許容する。
【００３８】
[00049]  ある態様では、MTMベース・アンテナは、他の種類のアンテナと比較して、物理的に小さくてよく、例えば、MTMベース・アンテナは、信号の波長の10分の1のオーダーに大きさを設定することができ、一方、在来の材料でできているアンテナより良いか等しいパフォーマンスを提供し、信号の波長の半分のオーダーのサイズである。別の態様では、MTMベース・アンテナは、２以上の作動周波数を特定の用途向けに調整することができ、調和振動数の倍数に限定されないようにすることができる。更なる態様では、MTMベースのコンポーネント（例えば、ブロードバンドマッチング回路、位相シフトコンポーネント、または、伝送線）は、従来の材料でできている構成要素により提供されるそれらより５乃至１０倍大きい周波数レンジ以上の位相線形を保存できる。
【００３９】
[00050]  更なる態様では、MTMベース・マルチバンド・アンテナは、標準のPCB製造法
を使用してPCBボードに直接印刷される金属アートワークで単純な二次元の設計を有する
ことができる。図5a-5bは、800M、900Mおよび2400Mのバンドに適用される3-バンドMTM-ベースのアンテナの実施形態レイアウトの平面図および底面図を例示する。
【００４０】
[00051]  図5a-5bを参照すると、供給ライン203は、表層233に形成され、供給ライン203の末端は、セルパッチ205に電磁的に結合され、また、カップリングギャップ207を介して表層233に形成される。パワーは、供給ライン203およびカップリングギャップ207を介して接地されたCPW供給から、セルパッチ205まで届けられる。
【００４１】
[00052]  当業者は、MTMベース・マルチバンド・アンテナの他の二次元および三次元レイアウトが本発明の範囲および精神の範囲内にあることを理解するであろう。
[00053]  更なる態様では、MTMベース・マルチバンド・アンテナは、超コンパクト・サイズ（例えば、50mm×10mmより小さい表面積であり、紙と同程度薄く、作動波長の10分の1のオーダー）を有することができる。
【００４２】
[00054]  更なる態様では、MTMベース・マルチバンド・アンテナが、マルチプル供給から成ることによって、４乃至６の周波数帯をサポートすることができ、かくして、スプリッタ-ダイプレクサの必要性を除去する。
【００４３】
[00055]  更なる態様では、MTMベース・マルチバンド・アンテナは、同時に望まれていないカップリングのないいくつかの無線標準（例えば、GSM, GPRS, EDGE, UMTS (WCDMA/TD-SCDMA), HSPA/HSPA+, CDMA, CDMA2000, CDMA 1xEvDo, TDMA, LTE (FDD-LTE or TD-LTE), UWB, 802.11, 802.15 または 802.16m (WiMax)）に対応することがありえる無線信号を受信しおよび／または送信することを同時にサポートすることができる。
【００４４】
[00056]  ある実施形態では、EIR端末100は、ワイヤレス通信ネットワークおよび／ま
たは無線通信プロトコルを、無線通信プロトコル選択基準の値を最適化することによって、無線通信インタフェース340に使うのに動的に選択するように構成されることができる。ある実施形態では、EIR端末により実行されることができる無線通信プロトコル選択ソフトウェア・プログラムによって、無線通信プロトコル選択基準の値を評価できる。
【００４５】
[00057]  ある実施形態では、EIR端末は、同時に2つ以上のワイヤレス通信ネットワー
クおよび／またはプロトコル上の2つ以上の無線信号を受信するように構成されることが
でき、無線通信プロトコル選択基準の最適価格を生産するワイヤレス通信ネットワークおよび／またはプロトコルを選ぶために、無線信号が受け取られた各々の通信ネットワーク/プロトコルのための所定の無線通信プロトコル選択基準値を評価できる。
【００４６】
[00058]  ある実施形態では、無線通信プロトコル選択基準は、2つ以上の基準の組合せから成ることができる。更なる態様において、無線通信プロトコル選択基準は、2つ以上
の基準の加重合計から成ることができる。当業者は、2つ以上の基準を組み合わせる他の
方法も本発明の範囲および精神の範囲内にあることを理解するであろう。
【００４７】
[00059]  ある実施形態では、利用できる無線ネットワークを与えることによって、無
線通信プロトコル選択基準は、無線ネットワーク状況に基づくことがありえる。
[00060]  ある実施形態では、無線通信プロトコル選択基準は、受け取られる各々の無
線信号の信号強さに基づくことがありえる。ある態様では、信号強度に基づく無線通信プロトコル選択基準は、信号強度の最大値を有する利用できる無線ネットワークを与えることができる。
【００４８】
[00061] ある実施形態では、スループット必要条件を満たすことができる利用できる無線ネットワークを与えることによって、無線通信プロトコル選択基準は、無線ネットワー
ク・スループットに基づくことがありえる。
【００４９】
[00062]  ある実施形態では、無線通信プロトコル選択基準は、無線ネットワーク使用
コストに基づくことがありえる。ある態様では、EIR端末は、最低料金回線選択（LCR）基準を評価することによって、無線ネットワーク使用コストを最適化できる。ある実施形態では、LCR基準値は、EIR端末によって初期化されたアウトバウンドトラフィックを分配するためのコストに等しい。もう一つの実施形態では、LCR基準値は、EIR端末によって初期化されたインバウンドトラフィックを受け入れるためのコストに等しい。さらに別の実施形態では、LCR基準値は、EIR端末によって初期化されたアウトバウンドトラフィックを分配するためのコスト、および、EIR端末によって初期化されたインバウンドトラフィック
を受け入れるためのコストの合計と等しい。
【００５０】
[00063]  ある実施形態では、無線通信プロトコルおよび/または無線通信ネットワークをEIR端末由来トラフィックの宛先にマッピングするLCRルックアップテーブルを使用して、LCR基準を評価することができる。別の実施形態では、LCR基準は、無線通信プロトコルおよび/または無線通信ネットワークをEIR端末の地理的位置およびEIR端末由来トラフィックの宛先にマッピングするルックアップテーブルを使用して評価することができる。LCRルックアップテーブルの一実施形態の構造を図６に概略的に示す。LCRルックアップテーブル500は、トラフィック宛先フィールド550と、無線通信ネットワークフィールド560と、無線通信プロトコルフィールド570と、無線通信プロトコルパラメータフィールド580とを含む１つ以上のレコード510,520を含むことができる 。別の実施形態では、レコード510,520のそれぞれは、地理的位置フィールド540をさらに含むことができる。
【００５１】
[00064]  ある実施形態では、地理的位置フィールド540は、EIR端末場所の地理的座標
または地理的座標範囲から成ることができる。もう一つの実施形態では、地理的位置フィールド540は、EIR端末場所の国、州および／または市から成ることができる。当業者は、EIR端末場所をコード化する他の方法が本発明の精神および範囲内にあることを理解するであろう。
【００５２】
[00065]  ある実施形態では、トラフィック宛先フィールド550は、EIR端末場所の国、
州および／または市から成ることができる。当業者は、トラフィック宛先をコード化する他の方法が本発明の精神および範囲内にあることを理解するであろう。
【００５３】
[00066]  ある実施形態では、無線通信プロトコル選択基準は、EIR端末に電力を供給されることを評価されることができる。別の実施形態では、無線通信プロトコル選択基準は、通信セッションを始めることを試みるEIR端末の直前に評価されることができる。さらに別の実施形態では、EIR端末が通信セッションの間でワイヤレス通信ネットワークおよび／または無線通信プロトコルを変えることができるように、無線通信プロトコル選択基準は所定の時間間隔で周期的に評価されることができ、または、ワイヤレス通信ネットワークおよび／または無線である場合、通信セッションの間に、通信プロトコルは現在のネットワークのそれより最適条件に近い無線通信プロトコル選択基準またはプロトコルの値を与えて検出される。さらに別の実施形態では、無線通信プロトコル選択基準のその地理的位置を変えるEIR端末に応答する値を算出でき、その結果、EIR端末は自動的に通信セッションの間でワイヤレス通信ネットワークおよび／または（すなわち、ユーザ介入なしで）または通信セッションの間無線通信プロトコルを変えることができ。このように、EIR端末は、外部の状況（例えば端末が物理的に移動する時）を変えることに関係なく常に最適ネットワークコネクションを維持できる。
【００５４】
[00067]  別の態様では、EIR端末は、好適なルーティング・リスト（PRL）の内容また
はローカルにメモリ320に保存することができる好適なオペレータ・リスト（POL）に基づ
いて無線ネットワーク、無線通信プロトコルおよび／または無線通信プロトコル・パラメータを選ぶことができる。PRLまたはPOLは、EIR端末によって、使われるネットワーク・オペレータのオーダーリストを含むことができる。
【００５５】
[00068]  ある実施形態では、PRL（POL）はレコードのリストを含むことができ、各々
のそれらのレコードが無線ネットワーク・オペレータ識別子および優先値を含む。
[00069]  PRL（POL）テーブルのある実施形態の構造を、図式的に図7に示す。PRL（POL）ルックアップ表480は、1またはそれ以上のレコード495、497を含み、各々のレコードが無線ネットワーク・オペレータ識別子487および優先値489から成り、ある実施形態では、PRL（POL）レコード495、497の各々が、地理的位置フィールド491から更に成る。もう一つの実施形態では、PRL（POL）テーブル480のその地理的位置を変えるEIR端末に応答する内容を更新できる。
【００５６】
[00070]  別の態様では、PRL（POL）テーブル480は、EIR端末の製造業者によって、初
期化されることができる。別の実施形態では、PRL（POL）テーブル480は、初期化される
ことができ、および／または、EIR端末が接続される無線ネットワークのオペレータによ
り修正されることができる。さらに別の実施形態では、PRL（POL）テーブル480は、初期
化されることができ、および／または、ユーザ・インタフェースを介してEIR端末のユー
ザにより修正されることができる。
【００５７】
[00071]  他の態様では、PRL（POL）テーブル480の初期化および／または修正は、所定のバーコードを走査することによるEIR端末のユーザによって、またはユーザ・インタフ
ェース（例えば、グラフィカル・ユーザ・インタフェース（GUI）を介して、またはハー
ドウェア実行された制御を介して）と相互作用するユーザによって、手動で初期化されることが可能である。当業者は、PRL（POL）テーブル480を初期化および／または修正する
他の方法が本発明の範囲および精神の範囲内にあることを理解するであろう。
【００５８】
[00072]  別の態様では、EIR端末100は、例えば、マルチタスク・モードでマルチタス
ク・オペレーティングシステムを実行することをサポートするように構成することができる。ある実施形態では、EIR端末は、Windowsモバイル・オペレーティングシステムを実行するように構成することができる。もう一つの実施形態では、EIR端末は、組み込みLinuxオペレーティングシステムを実行するように構成されることができる。さらに別の実施形態では、EIR端末は、組み込まれたAndroidオペレーティングシステムを実行するように構成することができる。当業者は、他の組み込みマルチタスク・オペレーティングシステムを実行するEIR端末が本発明の精神および範囲内にあることを理解するであろう。
【００５９】
[00073]  マルチタスク・オペレーティングシステムを実行しているEIR端末は、システムおよび／またはアプリケーション・ソフトウェア・プログラムを含む他のソフトウェア・プログラムと並列に無線通信プロトコル・セレクタ・ソフトウェア・プログラムを実行できる。ある実施形態では、システム・ソフト・プログラムおよび／またはアプリケーション・ソフトウェア・プログラムは、無線通信プロトコル選択基準を評価し、ワイヤレス通信ネットワークおよび／または無線通信プロトコルを切替える無線通信プロトコル・セレクタ・ソフトウェア・プログラムと並列に、EIR端末により実行されることができる。かくして、本発明によるEIR端末によるワイヤレス通信ネットワークおよび／または無線通信プロトコルの切替えは、ワイヤレス通信ネットワークおよび／または無線通信プロトコルを切替えが無線通信プロトコル・セレクタ・ソフトウェア・プログラムによって開始されるとき、端末または再起動システムおよび／または実行中のアプリケーション・ソフトウェア・プログラムの再設定を必要としない。
【００６０】
[00074]  別の態様では、ワイヤレス通信ネットワークの選択、無線通信プロトコルま
たは無線通信プロトコルの一つ以上のパラメータは、EIR端末のユーザによって、手動で
初期化されることが可能である。ある実施形態では、選択は所定のバーコードを走査することによって、初期化されることが可能である。別の実施形態では、選択はユーザ・インタフェース（例えば、グラフィカル・ユーザ・インタフェース（GUI）を介した、または
、ハードウェア実行された制御を介した）と相互に作用しているユーザによって、初期化されることが可能である。当業者は、ワイヤレス通信ネットワーク、無線通信プロトコルまたは無線通信プロトコルの一つ以上のパラメータの選択を手動で初期化する他の方法が、本発明の範囲および精神の範囲内にあることを理解するであろう。
【００６１】
[00075]  別の態様では、無線通信プロトコル・セレクタ・ソフトウェア・プログラム
は呼び出されることができ、他のソフトウェア・プログラムはEIR端末によって、実行す
る。ソフトウェア・プログラムを呼び出すことは、EIR端末メーカーによって、または第
三者アプリケーション開発者により開発されることができる。
【００６２】
[00076]  動的にワイヤレス通信ネットワークおよび無線通信プロトコルを選ぶその能
力のために、例えば、本発明のEIR端末が、都合よく異なる無線通信標準を有するいくつ
かの地理学において、会社のオペレーティングによって使うことができる。本発明のEIR
端末を使用することによって、この種の会社が全ての地理学の同じEIR端末モデルを配備
できる。
【００６３】
[00077]  別の態様では、本発明によるEIR端末は、少なくとも一つの無線アカウントデータ構造で、メモリ320のストアへ形成することができる。ある実施形態では、無線アカウントデータ構造は、無線アカウント識別子およびPRL（POL）から成ることができる。当業者は、他の無線アカウント情報を含む無線アカウントデータ構造が、本発明の精神および範囲内にあることを理解するであろう。
【００６４】
[00078]  本発明によるEIR端末のためのフォームファクタおよびハウジングをここに記載する。EIR端末100の構成要素は、様々な異なるハウジングに組み込まれることができる。図8aおよび8bの実施形態により示されるように、図2の構成要素はハンドヘルドハウジング101に組み込まれることができる。図8aおよび8bのEIR端末100は、ハンドヘルドポータブルデータ端末のフォームファクタである。図8aおよび8bで示すEIR端末100は、キーボード1090、関連するタッチスクリーン・オーバレイを有するディスプレイ504、カードリーダー1348、イメージング・モジュール360、GPSレシーバ、RFIDトランシーバ、WWAN（2G/3G/4G）トランシーバ、WLAN（IEEE 802.11-confirmant）トランシーバ、レーザーモジュールおよび／またはWPAN(802.15/Bluetooth)トランシーバを含む。
【００６５】
[00079]  本願明細書において記載されているように、イメージング・モジュール360は、イメージング・アセンブリの構成要素を含むことができ、すなわち、イメージ・センサICチップに組み込まれるイメージ・センサ配列である。イメージング・モジュール360は、関連するイメージング軸（ai）を有する。図8bの側面図により示されるように、図2のブロック図の構成要素は複数の回路基板1077上のハウジング101の中でサポートされることができる。イメージング・モジュール360は、2005年6月3日に出願の仮特許出願第60/687,606号、2005年6月14日に出願の第60/690,268号、2005年6月22日に出願の第60/692,890号および2005年6月27日に出願の第60/694,371号にて説明したように、カラー高感度ピクセルを有するイメージ・センサ配列を含むことができ、その全ては「Digital Picture Taking Optical Reader Having Hybrid Monochrome And Color Image Sensor」と題され、リファレンスとしてここに組み入れられる。
【００６６】
[00080]  図9a-9cの実施形態では、小売購入処理端末としてまたは価格ベリファイアとして構成されることができる処理端末の形でEIR端末100がある。図9a-9cに示される処理
端末のハウジング102は、ある場所から別の場所まで移動することができ、更に配置換え
可能な固定構造（例えばキャッシャー・ステーションの固定構造または小売店階（例えば棚、図10bにおいて最適に見られるような柱264）の固定構造）に載置するように構成されるために、携帯用に構成される。図9cの底面図を参照すると、EIR端末100のハウジング102は、EIR端末100を固定構造に入れ替え可能に載置することを容易にする構成268がある。図9bを参照すると、EIR端末100は、関連するタッチスクリーン504T、カードリーダー1348、イメージング・モジュール360および発光囲い板362を有するディスプレイ504を含む。照明ブロック（図10では図示せず）からの光が発光囲い板362に当たるとき、囲い板は注意をイメージング・アセンブリの位置に引きつけるために輝く。図10cに示すような特定のオペレーティング・モードでは、図9a-9cのいずれかに従うEIR端末100は、顧客にタッチスクリーン504TにPIN情報を入れるように促しているPIN入力スクリーンをディスプレイ504に表示する。他のオペレーティング・モードでは、図10dに示すように、EIR端末100は、スタイラス505を用いてデバイスにサイン情報を入れさせるように顧客に促すサイン入力スクリーンをディスプレイ504に示す。
【００６７】
[00081]  図10aおよび10bを参照すると、図9a-9cのEIR端末のためのさまざまな取付け
構成が示される。図10aをみると、EIR端末100は、ＰＯＳ（point of sale）キャッシャー・ステーションで小売購入処理端末として取り付けられる。図10aのセットアップでは、EIR端末100は、リテール小売購入処理として構成され、ＰＯＳで小売処理を容易にするのに利用される。顧客は、カードリーダー1348にクレジットカードまたはデビットカードを入れることができ、リテール小売購入処理はクレジットカード情報をクレジット/デビット認証ネットワークに発信できる。
【００６８】
[00082]  図10bでは、EIR端末100は、顧客がストアフロアーにある製品の価格を点検するのを援助するために価格ベリファイアとして構成される。EIR端末100は、棚（図10bで
は図示せず）上にまたは柱254または小売店の他の固定構造上に載置できる。EIR端末100
は、ストア製品上のバーコードからのバーコード・データを復号化することができ、ストア・サーバからディスプレイ504に表示するための端末100まで、送り返される価格情報の検索のためのストア・サーバに、復号化されたバーコード・メッセージを送信できる。
【００６９】
[00083]  本願明細書において、記載されているシステム方法と装置の小さいサンプル
について以下に説明する。
Ａ１．符号化情報読取（ＥＩＲ）端末が、
マイクロプロセッサと、
前記マイクロプロセッサに通信可能に結合されたメモリと、
バーコード読取デバイス、ＲＦＩＤ読取デバイス、カード読取デバイスからなるグループから選択されたＥＩＲデバイスであって、符号化メッセージからなる生メッセージデータを出力することと、符号化メッセージに対応する復号化メッセージデータを出力することの少なくとも１つを実行するように構成されたことを特徴とするＥＩＲデバイスと、
マルチバンドアンテナと、
少なくとも２つのワイヤレス通信プロトコルをサポートするように構成されたワイヤレス通信インターフェースと、
を有し、
前記マルチバンドアンテナが、２つ以上の周波数調整ドメインに２つ以上の無線信号を同時に受けるように構成され、
前記ＥＩＲ端末が、ワイヤレス通信プロトコル選択基準の値を最適化することによりワイヤレス通信プロトコルとワイヤレス通信ネットワークの少なくとも１つを動的に選択するように構成されたことを特徴とする符号化情報読取（ＥＩＲ）端末。
Ａ２．
前記ワイヤレス通信プロトコル選択基準が、前記無線信号の信号強度、ワイヤレスネッ
トワーク状態、ワイヤレスネットワーク使用コスト、および、ワイヤレスネットワークスループットのうちの少なくとも１つに基づいていることを特徴とするＡ１に記載のＥＩＲ端末。
Ａ３．
前記マルチバンドアンテナが更に、２つ以上の周波数調整ドメインに無線信号を送信するように構成されたことを特徴とするＡ１に記載のＥＩＲ端末。
Ａ４．
前記ワイヤレス通信インターフェースが、GSM, GPRS, EDGE, UMTS (WCDMA/TD-SCDMA), HSPA/HSPA+, CDMA, CDMA2000, CDMA 1xEvDo, TDMA, LTE (FDD-LTE or TD-LTE), UWB, 802.11, 802.15および802.16m (WiMax)ワイヤレス通信プロトコルのちの少なくとも２つをサポートするように構成されたことを特徴とするＡ１に記載のＥＩＲ端末。
Ａ５．
前記２つ以上の周波数調整ドメインが、850 MHz, 900 MHz, 1700 MHz, 1800 MHz, 1900
MHz,  2100 MHz, 2.4 GHzおよび5 GHzのうちの２つ以上を含むことを特徴とするＡ１に
記載のＥＩＲ端末。
Ａ６．
前記マルチバンドアンテナが、前記無線信号波長の１／１０より小さいサイズを有することを特徴とするＡ１に記載のＥＩＲ端末。
Ａ７．
前記マルチバンドアンテナが少なくとも１つの供給を有することを特徴とするＡ１に記載のＥＩＲ端末。
Ａ８．
前記マルチバンドアンテナが、スプリッタ／ダイプレクサを有することを特徴とするＡ１に記載のＥＩＲ端末。
Ａ９．
前記マルチバンドアンテナが、インピーダンスマッチ回路を有することを特徴とするＡ１に記載のＥＩＲ端末。
Ａ１０．
ＳＩＭカードを受け入れるように構成された少なくとも１つのコネクタを更に有することを特徴とするＡ１に記載のＥＩＲ端末。
Ａ１１．
前記メモリが、
第１のワイヤレスアカウント識別子からなる第１のワイヤレスアカウントデータ構造と、
第２のワイヤレスアカウント識別子からなる第２のワイヤレスアカウントデータ構造と、
をストアするように構成されたことを特徴とするＡ１に記載のＥＩＲ端末。
Ａ１２．
前記メモリが、
第１の好ましいルーティングリストと、第１の好ましいオペレータリストのうちの１つと、第１のワイヤレスアカウント識別子とを有する第１のワイヤレスアカウントデータ構造と、
第２の好ましいルーティングリストと、第２の好ましいオペレータリストのうちの１つと、第２のワイヤレスアカウント識別子とを有する第２のワイヤレスアカウントデータ構造と、
をストアするように構成されたことを特徴とするＡ１に記載のＥＩＲ端末。
Ｂ１．  符号化情報読取（ＥＩＲ）端末が、
マイクロプロセッサと、
前記マイクロプロセッサに通信可能に結合されたメモリと、
バーコード読取デバイス、ＲＦＩＤ読取デバイス、カード読取デバイスからなるグルー
プから選択されたＥＩＲデバイスであって、符号化メッセージからなる生メッセージデータを出力することと、符号化メッセージに対応する復号化メッセージデータを出力することの少なくとも１つを実行するように構成されたことを特徴とするＥＩＲデバイスと、
少なくとも２つのワイヤレス通信プロトコルをサポートするように構成されたワイヤレス通信インターフェースであって、第１の無線信号を受けることと第２の無線信号を送信することの少なくとも１つを実行するように構成されたＲＦフロントエンドを有することを特徴とするワイヤレス通信インターフェースと、
前記ＲＦフロントエンドによって電気的に結合されたアンテナであって、２つ以上のシングルバンドアンテナとマルチバンドアンテナとの少なくとも１つによって提供されることを特徴とするアンテナと、
を有し、
前記アンテナが、２つ以上の周波数調整ドメインに２つ以上の無線信号を同時に受けるように構成され、
前記マイクロプロセッサが、ベースバンドエンコーダソフトウェアプログラムとベースバンドデコーダソフトウェアプログラムの少なくとも１つを実行するように構成され、
前記ＥＩＲ端末が、ワイヤレス通信プロトコル選択基準の値を最適化することによりワイヤレス通信プロトコルとワイヤレス通信ネットワークの少なくとも１つを動的に選択するように構成され、前記ワイヤレス通信プロトコル選択基準が前記２つ以上の無線信号に基づいていることを特徴とする、
符号化情報読取（ＥＩＲ）端末。
Ｂ２．
前記ワイヤレス通信プロトコル選択基準が、前記無線信号の信号強度、ワイヤレスネットワーク状態、ワイヤレスネットワーク使用コスト、および、ワイヤレスネットワークスループットのうちの少なくとも１つに基づいていることを特徴とするＢ１に記載のＥＩＲ端末。
Ｂ３．
前記アンテナが更に、２つ以上の周波数調整ドメインに無線信号を送信するように構成されたことを特徴とするＢ１に記載のＥＩＲ端末。
Ｂ４．
前記ワイヤレス通信インターフェースが、GSM, GPRS, EDGE, UMTS (WCDMA/TD-SCDMA), HSPA/HSPA+, CDMA, CDMA2000, CDMA 1xEvDo, TDMA, LTE (FDD-LTE or TD-LTE), UWB, 802.11, 802.15および802.16m (WiMax)ワイヤレス通信プロトコルのちの少なくとも２つをサポートするように構成されたことを特徴とするＢ１に記載のＥＩＲ端末。
Ｂ５．
前記２つ以上の周波数調整ドメインが、850 MHz, 900 MHz, 1700 MHz, 1800 MHz, 1900
MHz, 2100 MHz, 2.4 GHzおよび5 GHzのうちの２つ以上を含むことを特徴とするＢ１に記載のＥＩＲ端末。
Ｂ６．
ＳＩＭカードを受け入れるように構成された少なくとも１つのコネクタを更に有することを特徴とするＢ１に記載のＥＩＲ端末。
Ｂ７．
前記メモリが、
第１のワイヤレスアカウント識別子からなる第１のワイヤレスアカウントデータ構造と、
第２のワイヤレスアカウント識別子からなる第２のワイヤレスアカウントデータ構造と、
をストアするように構成されたことを特徴とするＢ１に記載のＥＩＲ端末。
Ｂ８．
前記メモリが、
第１の好ましいルーティングリストと、第１の好ましいオペレータリストのうちの１
つと、第１のワイヤレスアカウント識別子とを有する第１のワイヤレスアカウントデータ構造と、
第２の好ましいルーティングリストと、第２の好ましいオペレータリストのうちの１つと、第２のワイヤレスアカウント識別子とを有する第２のワイヤレスアカウントデータ構造と、
をストアするように構成されたことを特徴とするＢ１に記載のＥＩＲ端末。
【００７０】
[0083]  多くの特定の実施形態を参照して本発明を説明したが、本発明の真の精神および範囲は、本明細書でサポートされ得る特許請求の範囲に関してのみ決定されるべきであることが理解される。さらに、システム、装置および方法が特定の数のエレメントを有するものとして記載されている本明細書の多くの場合において、そのようなシステム、装置および方法は、記載された特定のエレメントの数より少ない又は多い数で実施できることが理解される。また、いくつかの特定の実施形態が説明されているが、各特定の実施形態に関して記載された特徴および態様は、その他の特に説明された実施形態と共に使用され得ることが理解される。
【図１】
2020174351.tif 000003
【図２】
2020174351.tif 000004
【図３】
2020174351.tif 000005
【図４】
2020174351.tif 000006
【図５ａ】
2020174351.tif 000007
【図５ｂ】
2020174351.tif 000008
【図６】
2020174351.tif 000009
【図７】
2020174351.tif 000010
【図８ａ】
2020174351.tif 000011
【図８ｂ】
2020174351.tif 000012
【図９ａ】
2020174351.tif 000013
【図９ｂ】
2020174351.tif 000014
【図９ｃ】
2020174351.tif 000015
【図１０ａ】
2020174351.tif 000016
【図１０ｂ】
2020174351.tif 000017
【図１０ｃ】
2020174351.tif 000018
【図１０ｄ】
2020174351.tif 000019